(57)【要約】【課題】防振ゴム台座の底部を基礎床に接着することができるとともに、緩衝効果に優れ、良好な遮音性を確保することができる床下地用支持脚及びこれに用いられる防振ゴム台座、並びに二重床構造を提供する【解決手段】床下地用支持脚３のアジャスターボルト５０には、その軸部５１の下端部にフランジ部５５が形成され、防振ゴム台座４０には、フランジ部５５を収容して軸部５１を垂直に保持する凹部４１が形成され、凹部４１の底面４１ａに、フランジ部５５の下端面５５ａを支持する緩衝突起部４３が形成されている。【選択図】      図３
2017020170.tif 000002
【特許請求の範囲】
【請求項１】
基礎床上に床パネルを支持する床下地用支持脚であって、
前記基礎床上に配置される防振ゴム台座と、
前記防振ゴム台座に垂直に支持されるアジャスターボルトとを備え、
前記アジャスターボルトには、その軸部の下端部にフランジ部が形成され、
前記防振ゴム台座には、前記フランジ部を収容して前記軸部を垂直に保持する凹部が形成され、
前記凹部の底面に、前記フランジ部の下端面を支持する緩衝突起部が形成されていることを特徴とする床下地用支持脚。
【請求項２】
前記緩衝突起部は、前記凹部の底面に形成された凹溝部内に立設され、該底面から突出する高さに設けられていることを特徴とする請求項１に記載の床下地用支持脚。
【請求項３】
前記凹部の側面に、前記フランジ部の側縁部と接触するガイド突起部が設けられていることを特徴とする請求項１又は２に記載の床下地用支持脚。
【請求項４】
前記防振ゴム台座の底部に、前記基礎床上に設置される緩衝突起部が設けられていることを特徴とする請求項１から３のいずれか一項に記載の床下地用支持脚。
【請求項５】
基礎床上に配置され、床下地用支持脚のアジャスターボルトの下端部を保持する防振ゴム台座であって、
前記アジャスターボルトの軸部の下端部に形成されたフランジ部を収容して前記軸部を垂直に保持する凹部が形成され、
前記凹部の底面に、前記フランジ部の下端面を支持する緩衝突起部が形成されていることを特徴とする防振ゴム台座。
【請求項６】
前記緩衝突起部は、前記凹部の底面に形成された凹溝部内に立設され、該底面から突出する高さに設けられていることを特徴とする請求項５に記載の防振ゴム台座。
【請求項７】
前記凹部の側面に、前記フランジ部の側縁部と接触するガイド突起部が設けられていることを特徴とする請求項５又は６に記載の防振ゴム台座。
【請求項８】
底部に、前記基礎床上に設置される緩衝突起部が設けられていることを特徴とする請求項５から７のいずれか一項に記載の防振ゴム台座。
【請求項９】
請求項１から４のいずれか一項に記載の床下地用支持脚に下地パネルが載置される支持プレートが設けられ、該床下地用支持脚が基礎床上に間隔をあけて複数設置され、該床下地用支持脚の前記支持プレートの上に前記下地パネルが載置され、該下地パネルの上に仕上げパネルが敷設されてなることを特徴とする二重床構造。
【請求項１０】
請求項１から４のいずれか一項に記載の床下地用支持脚に下地パネルが載置される支持プレートが設けられ、該床下地用支持脚が壁際に沿って基礎床上に間隔をあけて複数設置され、該床下地用支持脚の前記支持プレートの上に下地パネルが載置され、該下地パネルの上に仕上げパネルが敷設されてなり、
前記下地パネルには、前記アジャスターボルトを調節可能な貫通孔が設けられ、
前記基礎床と前記防振ゴム台座とが接着剤により接着されていることを特徴とする二重床構造。
【請求項１１】
角材の長さ方向に間隔をあけてナット部材が固定された根太材と、該ナット部材毎に取り付けられた請求項１から４のいずれか一項に記載の床下地用支持脚とを備える根太ユニットが、壁際に沿って配置され、前記根太材の上に下地パネルが載置され、該下地パネルの上に仕上げパネルが敷設されてなり、
前記基礎床と前記防振ゴム台座とが接着剤により接着されていることを特徴とする二重床構造。
【発明の詳細な説明】
【技術分野】
【０００１】
本発明は、木造住宅の二階以上の床及びコンクリートスラブの基礎床上に形成される二重床構造の施工において使用される床下地用支持脚及びこれに用いられる防振ゴム台座、二重床構造に関する。
【背景技術】
【０００２】
近年、集合住宅やオフィスビルなどの多くの建造物に二重床構造（乾式遮音二重床、オフィスフロア等）が採用されており、コンクリートスラブ等の基礎床と床パネルとの間に空間部を形成して、遮音性を高めるとともに、その空間部に設備配管や配線等を設けることができるようになっている。
【０００３】
この種の二重床として、例えば、特許文献１や特許文献２に記載の支持脚を利用した構造のものが知られている。これらの二重床は、基礎床上に支持脚を並べて、その上に床パネルを配置することにより、これら基礎床と床パネルとの間に空間部を形成したものである。支持脚は、台座にアジャスターボルトが垂直に立設され、このアジャスターボルトの上端部に四角形小片状の床パネル受けが螺合した構造とされる。
【０００４】
このような二重床構造においては、空間部によって床パネルと基礎床とを離間させることにより遮音性を確保するとともに、床パネルを支持する支持脚の台座に防振ゴム等の弾性部材からなる防振ゴム台座を使用し、床面上に物体を落下させた場合にも、その落下衝撃を減衰させて基礎床上に伝達し難くしており、遮音性や衝撃緩和性能を高めている。この種の二重床構造は、施工の簡便さとコスト面から多くの多層階建造物で利用される。
【先行技術文献】
【特許文献】
【０００５】
【特許文献１】特開２００１‐２７０３６号公報
【特許文献２】特開２００９‐１６７６１１号公報
【発明の概要】
【発明が解決しようとする課題】
【０００６】
ところで、乾式遮音二重床の壁際の施工としては、在来際根太と呼ばれる角材を寝かせた状態で壁にビス止めを行い、在来際根太の長さ方向において３００ｍｍ程度の定間隔で在来際根太と基礎床との間に束を取り付けることにより、乾式遮音二重床のパーティクルボードを支える構造が２０００年初頭まで主流であった。
ところが、この在来際根太工法においては、乾式遮音二重床の中央部分に防振ゴム台座を配置して、防振ゴム台座による振動減衰効果を付与しているにも関わらず、壁際端部は在来際根太と束とで支える構成とされており、壁際端部においては中央部と違って防振機能を持たない。このため、床の衝撃音に伴う振動を、基礎床と基礎床に固定されている間仕切り壁とに固体伝播により伝えてしまうことで、乾式遮音二重床の遮音効果を半減させることがわかってきた。
また、壁際に在来際根太を寝かせてビス止めすることにより、壁際からの空気の抜けを阻害し、重量衝撃音の共鳴を発生させてしまうこともわかってきた。
【０００７】
そこで、上記の問題を解決するため、脚受け工法と根太システム工法との２種類の工法が提案されている。
まず、脚受け工法は、居室の中央部に配置するような支持脚（防振アジャスター）を壁際のパーティクルボードの端部にも定間隔（３００ｍｍ×４５５ｍｍ程度）で配列する工法である。パーティクルボードの端に直径１２ｍｍ〜１５ｍｍ程度の穴をあけておき、そこに支持脚をビス固定してからパーティクルボードごと壁際に設置する。一般的には、硬い遮音性能の無いゴム台座で壁際を施工する場合の遮音性能は、根太システム工法に比べて悪い傾向にある。
【０００８】
一方、根太システム工法は、９００ｍｍ〜１５００ｍｍの２８ｍｍ×３７ｍｍ程度の角材に、２〜３箇所程度にナットが埋め込まれており、そこに支持脚（防振アジャスター）を取り付けて、基礎床からの高さ調節を行えるようにしている。また、壁との間に発泡ポリエチレン等の緩衝材を挟むことにより、壁への固体伝播を防ぎつつ、床下空気の壁際からの抜け道を作ることにより、重量衝撃音６３Ｈｚ帯の共鳴を減衰する効果が得られるつくりとなっている。そして、この根太システムの支持脚の下端の防振ゴム台座は、基礎床に接着することが一般的な工法となっているが、理由は下記のように多岐にわたる。
【０００９】
まず、乾式遮音二重床を一枚の板構造として考えた場合、居室の壁によって四方を囲まれているが、入居者の歩行などの動きによる反作用で床全体が数ｍｍ単位で動くことを防ぐために、防振ゴム台座と基礎床との接着が行われる。また、壁際から数十ｃｍの位置に重量物が置かれた際に、重量物の直下は重量相応に沈み込みが生じるが、その周囲、特に壁際が沈み込みに反して持ち上がってしまうことから、これを防止するために、防振ゴム台座と基礎床との接着が行われる。さらに、重量物を落下させた際の重量衝撃力によって、乾式遮音二重床に共振が生じた場合に、この共振体に対し接触によって振動を抑えるため、支持脚の防振ゴム台座を基礎床に固定し、支持脚を介して二重床を固定することが有効である。
【００１０】
ところで、防振ゴム台座の底部には、緩衝効果を高めるために複数の突起を設けることが行われているが、防振ゴム台座を基礎床へ接着した際に、その底部の突起を接着剤によって埋めてしまうと緩衝効果が薄れ、遮音性への効果を大きく減退させることになる。
そこで、この接着による防振効果減退を防ぐ方法として、根太システムの防振ゴム台座に対しては、防振ゴム台座の底部外周に円状の土手を形成しておき、防振ゴム台座の外周に接着剤を塗布することにより、底部中央への接着剤の侵入を防ぐことが行われている。しかし、この根太システム用の防振ゴム台座を、脚受け工法に採用しようとした場合、脚受け工法の施工手順では、支持脚をパーティクルボードに先に固定してしまうことから、防振ゴム台座を基礎床に設置させてから底部の外周に接着剤を塗布することができない。このため、防振ゴム台座に接着剤を塗布してから基礎床に防振ゴム台座を設置させることが必要となり、防振ゴム台座の底部中央に接着剤を塗らざるを得ない。したがって、壁周囲に支持脚を設置してから防振ゴム台座の外周に接着剤を塗布することが可能な根太システム工法とは異なり、脚受け工法においては、防振ゴム台座の底部中央に接着剤の侵入を防止する施工ができない。
【００１１】
本発明は、このような事情に鑑みてなされたもので、防振ゴム台座の底部を基礎床に接着することができるとともに、緩衝効果に優れ、良好な遮音性を確保することができる床下地用支持脚及びこれに用いられる防振ゴム台座、並びに二重床構造を提供することを目的とする。
【課題を解決するための手段】
【００１２】
本発明は、基礎床上に床パネルを支持する床下地用支持脚であって、前記基礎床上に配置される防振ゴム台座と、前記防振ゴム台座に垂直に支持されるアジャスターボルトとを備え、前記アジャスターボルトには、その軸部の下端部にフランジ部が形成され、前記防振ゴム台座には、前記フランジ部を収容して前記軸部を垂直に保持する凹部が形成され、前記凹部の底面に、前記フランジ部の下端面を支持する緩衝突起部が形成されていることを特徴とする。
【００１３】
緩衝効果を高めるための緩衝突起部を、防振ゴム台座外部の底部ではなく、防振ゴム台座内部の凹部の底面に設けているので、防振ゴム台座の底部を基礎床へ接着しても、内部の緩衝突起部が接着剤によって埋められることがない。したがって、緩衝突起部の緩衝効果により、良好な遮音性を確保することができる。
また、防振ゴム台座の底部を基礎床に接着して固定することができるので、床下地用支持脚の持ち上がり等を防止できる。
【００１４】
本発明の床下地用支持脚において、前記緩衝突起部は、前記凹部の底面に形成された凹溝部内に立設され、該底面から突出する高さに設けられているとよい。
緩衝突起部を、凹部の底面に形成された凹溝部内に立設することで、緩衝突起部の高さを、凹溝部の深さ分だけ底面からの実際の突出量よりも高く設けることができ、遮音性能を向上させることができる。
【００１５】
本発明の床下地用支持脚において、前記凹部の側面に、前記フランジ部の側縁部と接触するガイド突起部が設けられているとよい。
フランジ部の側縁部を、凹部の側面全体と係合させることなく、凹部の側面に形成したガイド突起部により部分的に支持することで、アジャスターボルトの側縁部と凹部の側面（ガイド突起部）との摩擦抵抗を低減させ、アジャスターボルトが凹部の側面によって上下方向の移動を拘束されることを防止することができる。これにより、フランジ部の下端面を緩衝突起部に確実に設置させて、良好な緩衝効果を発揮させることができる。
【００１６】
本発明の床下地用支持脚において、前記防振ゴム台座の底部に、前記基礎床上に設置される緩衝突起部が設けられているとよい。
防振ゴム台座の内部の凹部の底面に設けた緩衝突起部だけではなく、この内部の緩衝突起部に加えて、防振ゴム台座の外部の底部にも緩衝突起部を設けることで、緩衝効果をさらに向上させることができる。
【００１７】
また、このような床下地用支持脚に用いられる防振ゴム台座は、基礎床上に配置され、床下地用支持脚のアジャスターボルトの下端部を保持するものであって、前記アジャスターボルトの軸部の下端部に形成されたフランジ部を収容して前記軸部を垂直に保持する凹部が形成され、前記凹部の底面に、前記フランジ部の下端面を支持する緩衝突起部が形成されていることを特徴とする。
【００１８】
この発明の防振ゴム台座に、既製のアジャスターボルトや支持プレートを組み合わせて床下地用支持脚を設けることができる。
この防振ゴム台座の場合にも、前記凹部の側面に、前記フランジ部の側縁部と接触するガイド突起部が設けられている構成としてもよい。また、緩衝突起部を、凹部の底面に形成された凹溝部内に立設し、底面から突出する高さに設けられている構成としてもよい。さらに、防振ゴム台座の底部にも、前記基礎床上に設置される緩衝突起部が設けられている構成としてもよい。
【００１９】
本発明の二重床構造は、前記床下地用支持脚に下地パネルが載置される支持プレートが設けられ、該床下地用支持脚が基礎床上に間隔をあけて複数設置され、該床下地用支持脚の前記支持プレートの上に前記下地パネルが載置され、該下地パネルの上に仕上げパネルが敷設されてなることを特徴とする。
【００２０】
本発明の二重床構造は、前記床下地用支持脚に下地パネルが載置される支持プレートが設けられ、該床下地用支持脚が壁際に沿って基礎床上に間隔をあけて複数設置され、該床下地用支持脚の前記支持プレートの上に下地パネルが載置され、該下地パネルの上に仕上げパネルが敷設されてなり、前記下地パネルには、前記アジャスターボルトを調節可能な貫通孔が設けられ、前記基礎床と前記防振ゴム台座とが接着剤により接着されていることを特徴とする。
【００２１】
本発明の二重床構造は、角材の長さ方向に間隔をあけてナット部材が固定された根太材と、該ナット部材毎に取り付けられた前記床下地用支持脚とを備える根太ユニットが、壁際に沿って配置され、前記根太材の上に下地パネルが載置され、該下地パネルの上に仕上げパネルが敷設されてなり、前記基礎床と前記防振ゴム台座とが接着剤により接着されていることを特徴とする。
【発明の効果】
【００２２】
本発明によれば、防振ゴム台座内部に設けた緩衝突起部により、緩衝効果に優れ、良好な遮音性を確保できるので、防振ゴム台座の底部を基礎床に接着して固定することができ、床下地用支持脚の持ち上がりを防止できる。
【図面の簡単な説明】
【００２３】
【図１】本発明の実施形態の床下地用支持脚及び防振ゴム台座を用いて構築した二重床構造の一部を示す断面図であり、（ａ）が施工作業を説明する図であり、（ｂ）が二重床構造の施工後を説明する図である。
【図２】図１（ｂ）の壁際における拡大図である。
【図３】図２に示す床下地用支持脚のアジャスターボルトと防振ゴム台座との関係を説明する断面図である。
【図４】図２に示す防振ゴム台座の外観図であり、（ａ）が正面図、（ｂ）が側面図、（ｃ）が底面図である。
【図５】図４（ａ）のＡ‐Ａ線に沿う断面図である。
【図６】図４（ａ）のＢ‐Ｂ線に沿う断面図である。
【図７】図６のＣ‐Ｃ線に沿う断面図である。
【図８】本発明の実施形態の防振ゴム台座を根太システム工法に適用した二重床構造の一部を示す断面図である。
【図９】本発明の実施形態の防振ゴム台座を居室内側に配置した場合を説明する断面図である。
【発明を実施するための形態】
【００２４】
以下、本発明の床下地用支持脚及び台座、二重床構造の実施形態を図面を参照しながら説明する。
本実施形態の二重床構造１００は脚受け工法を適用して構築され、図１（ｂ）及び図２に全体構造を示したように、コンクリートスラブからなる基礎床１上に、床パネル２を支持する防振アジャスターである床下地用支持脚（以下、単に支持脚という）３が、縦横に一定の間隔をおいて複数並べられるように立設され、この支持脚３の上に床パネル２が配置されることにより、基礎床１と床パネル２との間に空間部４が構成される。この二重床構造１００は、例えば、集合住宅向け乾式遮音二重床用として施工される。
【００２５】
床パネル２は、下地パネル２１と、その上に配置される表面床材である仕上げパネル２５とから構成されている。下地パネル２１は、廃材などから得られる木片チップを接着剤で固めたパーティクルボードからなっている。また、下地パネル２１には、壁際に沿って取り付けられる支持脚３のアジャスターボルト５０を調節可能な貫通孔２２が複数設けられている。このため、下地パネル２１を施工した後に、この貫通孔２２を介して支持脚３のアジャスターボルト５０を操作することにより、床高さの調節が可能である。具体的には、アジャスターボルト５０の上端に設けられた挿入溝部５３にドライバーや六角レンチなどの工具を係合させて回転させることで、床高さの調節を行うことができる。
【００２６】
上記の二重床構造１００において、本発明の支持脚３は、基礎床１上に配置される防振ゴム台座４０と、この防振ゴム台座４０に垂直に支持されるアジャスターボルト５０とを備え、支持脚３に床パネル２（下地パネル２１）が載置される支持プレート６０が設けられている。
【００２７】
支持プレート６０は、中央に連通孔６２が形成された平面視正方形のパネルブロック６１と、連通孔６２に一体的に固定されてアジャスターボルト５０に螺合可能な雌ねじ部材６５とを有し、パネルブロック６１の上面には床パネル２固定用の粘着テープ６９が設けられている。雌ねじ部材６５は、全体が円筒状に設けられており、その円筒部分の長さ方向の中央位置にフランジ状の環状突部６７が形成され、環状突部６７の上側の円筒部分はパネルブロック６１の連通孔６２に挿入され、環状突部６７の下側の円筒部分はパネルブロック６１の下面側に露出した状態で、パネルブロック６１に一体的に固定されている。また、雌ねじ部材６５の円筒部分の内周面には、アジャスターボルト５０に係合する雌ねじ部が形成されている。
【００２８】
アジャスターボルト５０は、この種の二重床構造で使用される一般的な金属製ボルトであればよく、各種の長さや種類に設けられる。アジャスターボルト５０は、雄ねじ部５２を有する軸部５１と、軸部５１の下端部に形成されたフランジ部５５とが、一体に設けられる。軸部５１には、その下端部を除くほぼ全周にわたって雄ねじ部５２が形成されており、この雄ねじ部５２に支持プレート６０の雌ねじ部が螺合される。また、軸部５１の上端部には、プラスドライバー、六角レンチ等の工具を挿入可能な挿入溝部５３が形成されており、この挿入溝部５３に工具を係合させて軸心回りに回転させることでアジャスターボルト５０を回転させることができる。
【００２９】
そして、アジャスターボルト５０の回転動作に伴い支持プレート６０が上下移動する。これにより、支持プレート６０上に載置された床パネル２の高さを調節することができ、床パネル２の基礎床１からの高さを微調節することで所定の施工高さに調節することができる。
なお、壁際においては、図１（ｂ）及び図２に示すように、支持脚３はアジャスターボルト５０の上端部を下地パネル２１の貫通孔２２に合わせて配置する。一方、居室の内側においては、下地パネル２１どうしの間に隙間２７を形成し、アジャスターボルト５０の先端部を隙間２７に配置する。したがって、これら貫通孔２２及び隙間２７から、前述した工具を各支持脚３のアジャスターボルト５０のを挿入溝部５３に挿入して操作が行える。したがって、下地パネル２１を敷設した後であっても、この下地パネル２１上に人が載ったまま、貫通孔２２又は隙間２７から、アジャスターボルト５０を回転操作して、下地パネル２１の上下調節（高さ調節）が可能である。
【００３０】
防振ゴム台座４０は、アジャスターボルト５０の軸部５１を垂直を保持するために設けられ、一般的な二重床構造に用いられる防振ゴム（ゴム硬度：６５度〜８０度）からなる。
防振ゴム台座４０には、図３に示すように、アジャスターボルト５０のフランジ部５５を収容して軸部５１を垂直に保持する凹部４１が形成されており、この凹部４１の開口上端部には、アジャスターボルト５０の軸方向の移動（上方への移動）を拘束する爪部４２が形成されている。
また、凹部４１の底面４１ａには、フランジ部５５の下端面５５ａを支持する緩衝突起部４３が設けられ、凹部４１の側面４１ｂには、フランジ部５５の側縁部５５ｂと接触するガイド突起部４４が設けられている。
【００３１】
爪部４２は、図４（ａ）に示すように、周方向に均等に４つ設けられ、２つの爪部４２が対向して配置されている。また、周方向に隣接する爪部４２どうしの間には、切欠部４５が設けられており、この切欠部４５を介して、アジャスターボルト５０のフランジ部５５が凹部４１内に挿入可能に設けられている。そして、爪部４２は、凹部４１内に挿入したフランジ部５５の下端面５５ａを緩衝突起部４３に設置した状態で、フランジ部５５の上面５５ｃと接触して設けられ、フランジ部５５を凹部４１の底面４１ａとの間に挟んで保持し、アジャスターボルト５０の軸方向の移動（上方への移動）が拘束されるようになっている。また、爪部４２の先端は、軸部５１の外径よりもわずかに大きい円弧形状に設けられており、ガイド突起部４４によりフランジ部５５の側縁部５５ｂを支持するとともに、この爪部４２の先端によっても軸部５１が垂直に保持される。これにより、アジャスターボルト５０は、防振ゴム台座４０の凹部４１内に回転可能に支持されるとともに、爪部４２により上方への移動ができない状態で収容される。
【００３２】
緩衝突起部４３は、図３〜図７に示すように、凹部４１の底面４１ａから突出したレール状に形成されており、周方向に均等に４つ設けられている。各緩衝突起部４３は、図７に示すように、底面４１ａの外周部から内周部に向かって突出する平面視台形状に形成されており、凹部４１の側面４１ｂから延びる２本の直線レール部４３ａを先端側で接続した形状とされている。また、緩衝突起部４３は、凹部４１の底面４１ａに形成された凹溝部４６内に立設されており、緩衝突起部４３の高さが、凹溝部４６の深さ分だけ底面４１ａからの実際の突出量よりも高く設けられている。そして、緩衝突起部４３は、その高さ方向に伸縮変形しやすくなっており、フランジ部５５の下端面５５ａを緩衝突起部４３に接触させた際に圧縮されることにより弾性力（ばね力）が発揮され、爪部４２との間でフランジ部５５を安定して支持できるとともに、その弾性力によりアジャスターボルト５０を介して伝わる衝撃を吸収して、二重床構造１００の遮音性能を向上させることができる。
なお、緩衝突起部４３の形状は、本実施形態の形状に限定されるものではなく、緩衝突起部４３の形状や突出量を調節することにより、その伸縮性能を変更することが可能である。
【００３３】
また、ガイド突起部４４は、図５〜図７に示すように、凹部４１の側面４１ｂから突出して高さ方向に延びるリブ状に形成されており、凹部４１の側面４１ｂと緩衝突起部４３との接続部（図示例では８カ所）に、緩衝突起部４３と連続して形成されている。凹部４１の側面４１ｂは、フランジ部５５の側縁部５５ｂの外径よりも大きい円形に設けられており、その側面４１ｂから突出して設けられる各ガイド突起部４４は、８カ所あるガイド突起部４４に内接する内接円がフランジ部５５の側縁部５５ｂの外径とほぼ同じに設けられている。このように、８カ所のガイド突起部４４とフランジ部５５の側縁部５５ｂとが係合可能に設けられることにより、凹部４１内に収容されたフランジ部５５の上方向及び横方向への移動が拘束されて、アジャスターボルト５０が凹部４１内に軸部５１を中心とした回転可能でかつ抜け止めされた状態に保持される。
【００３４】
また、防振ゴム台座４０の底部４０ａには、円環状の溝４７ａと放射状の溝４７ｂとが設けられており、これらの溝４７ａ，４７ｂにより、底部４０ａに接着剤を塗布した際に、基礎床１と防振ゴム台座４０の底部４０ａとの間に接着剤８を保持することができるので、強固に固定することができる。
なお、防振ゴム台座４０の外形は、図に示した略円柱形状以外の形状であってもよく、例えば、四角形や六角形等の多角柱形状にすることも可能である。
また、図１の二重床構造１００において、遮音性能を向上させるために、支持脚３の間の基礎床１上に遮音材９を配設してもよい。遮音材９は、グラスウール、ロックウール、不繊布、発泡スチロール、ポリスチレンフォーム等から構成される。
【００３５】
以上のように構成された床下地用支持脚３を用いて二重床構造１００を施工する手順について説明する。
まず、支持脚３のパネルブロック６１の上面の粘着テープ６９の粘着面を露出させ、下地パネル２１と支持脚３とを仮止めしておく。この際、壁際に配置される支持脚３は、アジャスターボルト５０の上端部を下地パネル２１の貫通孔２２に合わせて配置することで、所定の間隔をおいて並べられる。一方、居室の内側に配置される支持脚３は、図１（ａ）に示すように、所定の間隔で基礎床１上に配置しておく。そして、下地パネル２１に仮止めされた支持脚３の防振ゴム台座４０の底部４０ａに接着剤８を塗布した後、基礎床１上に防振ゴム台座４０を設置して接着固定するとともに、壁際とは反対側の下地パネル２１の外周部を、居室の内側に配置される支持脚３上に載置する。この際、居室の内側に配置される支持脚３は、下地パネル２１どうしの間に隙間２７を形成するようにして、アジャスターボルト５０の先端部を露出させた状態で配置される。そして、下地パネル２１に形成された貫通孔２２を介して、支持脚３のアジャスターボルト５０を調節することにより、下地パネル２１の高さを調節する。なお、居室の内側に配置される支持脚３は、基礎床１上に静置する。
【００３６】
次いで、図２に示すようにビス又は釘等の固定部材７を下地パネル２１の上面側から打ち込むことにより、下地パネル２１とパネルブロック６１とを固定する。
最後に、図１（ｂ）及び図２に示すように、下地パネル２１の上に仕上げパネル２５を敷設して、二重床構造１００を仕上げる。
【００３７】
このように、本実施形態の防振ゴム台座４０においては、緩衝効果を高めるための緩衝突起部４３を、防振ゴム台座４０の外部の底部４０ａではなく、防振ゴム台座４０の内部の凹部４１の底面４１ａに設けているので、防振ゴム台座４０の底部４０ａを基礎床１へ接着しても、内部の緩衝突起部４３が接着剤８によって埋められることがない。したがって、緩衝突起部４３の緩衝効果により、良好な遮音性を確保することができる。
また、防振ゴム台座４０の底部４０ａを基礎床１に接着して固定することができるので、床下地用支持脚３の持ち上がり等を防止できる。
【００３８】
さらに、アジャスターボルト５０のフランジ部５５の側縁部５５ｂを、凹部４１の側面４１ｂ全体と係合させることなく、凹部４１の側面４１ｂに形成したガイド突起部４４により部分的に支持することで、フランジ部５５の側縁部５５ｂと凹部４１の側面４１ｂ（ガイド突起部４４）との摩擦抵抗を低減させ、アジャスターボルト５０の上下方向への移動が凹部４１の側面４１ｂによって拘束されることを防止することができる。これにより、フランジ部５５の下端面５５ａを緩衝突起部４３に確実に設置させて、良好な緩衝効果を発揮させることができる。
【００３９】
なお、上記実施形態では、防振ゴム台座４０及び床下地用支持脚３を脚受け工法に適用した例について説明したが、防振ゴム台座４０は、図８に示すように根太システム工法に適用することも可能である。この場合、角材３５の長さ方向に間隔をあけてナット部材３８を固定しておき、ナット部材３８毎に床下地用支持脚３（アジャスターボルト５０及び防振ゴム台座４０）を取付けることで、アジャスターボルト５０と防振ゴム台座４０とを備える根太ユニット３０を構成できる。根太ユニット３０は、アジャスターボルト５０を回転させることにより、床パネル２の基礎床１からの高さ調節を行うことができる。
【００４０】
根太システム工法においては、角材３５にアジャスターボルト５０と防振ゴム台座４０とを備える根太ユニット３０を基礎床１上に接着した後で下地パネル２１を敷設することから、防振ゴム台座４０の外周に接着剤８を塗布することもできるが、本実施形態の防振ゴム台座４０を使用することにより、防振ゴム台座４０の底部４０ａに接着剤８を塗布することも可能である。
【００４１】
また、上記実施形態では、床下地用支持脚及び防振ゴム台座が壁際に沿って配置される場合について説明を行ったが、本発明の床下地支持脚及び防振ゴム台座は、居室内側の中央部に設置する支持脚に適用することができる。
また、居室内側に設置する支持脚に適用する場合は、図９（ａ），（ｂ）に示すように、防振ゴム台座４０Ｓの凹部４１の底面と底部４０ａとの間の板厚を厚く設けることで、遮音性能の向上を図ることもできる。さらに、施工する二重床構造の床高さが４５０ｍｍ以上の場合においては、図９（ｂ）に示すように、防振ゴム台座４０Ｓと基礎床１との接着が行われるが、底部４０ａがフラットに設けられているので、防振ゴム台座４０Ｓの底部４０ａに接着剤８を塗布することができる。また、凹部４１の底面の緩衝突起部４３が遮音性能を保つので、防振ゴム台座４０Ｓの底部４０ａを接着剤８で接着しても、遮音性能を悪化させることがない。
【００４２】
また、上記実施形態では、緩衝効果を高めるための緩衝突起部４３を、防振ゴム台座４０の内部の凹部４１の底面４１ａのみに設けることとしていたが、居室内側に配置される支持脚３においては、この内部の緩衝突起部４３に加えて、図９（ｃ）に示す防振ゴム台座４０Ｔのように、防振ゴム台座４０Ｔの外部の底部４０ａにも緩衝効果を高めるための緩衝突起部４９を設けてもよい。この場合、防振ゴム台座４０Ｔは、その底部４０ａを接着することなく基礎床１上に載置される。このように、防振ゴム台座４０Ｔの内部の緩衝突起部４３と外部の緩衝突起部４９とを設けて緩衝突起部４３，４９の二段構造とした場合は、一段構造とした場合と比較して、より高い遮音効果を得ることができる。
【００４３】
なお、本発明は上記実施形態に限定されるものではなく、本発明の趣旨を逸脱しない範囲において種々の変更を加えることが可能である。
例えば、実施形態では集合住宅向け乾式遮音二重床用として施工した例を示したが、フリーアクセスフロア、ＯＡフロアなどのオフィス向けとすることも可能である。
【符号の説明】
【００４４】
１  基礎床
２  床パネル
３  支持脚（床下地用支持脚）
４  空間部
７  固定部材
８  接着剤
９  遮音材
２１  下地パネル
２２  貫通孔
２５  仕上げパネル
３０  根太ユニット
３５  角材
３８  ナット部材
４０  防振ゴム台座
４１  凹部
４２  爪部
４３  緩衝突起部
４４  ガイド突起部
４６  凹溝部
４９  緩衝突起部
５０  アジャスターボルト
５１  軸部
５５  フランジ部
６０  支持プレート
６１  パネルブロック
６５  雌ねじ部材
【図１】
2017020170.tif 000003
【図２】
2017020170.tif 000004
【図３】
2017020170.tif 000005
【図４】
2017020170.tif 000006
【図５】
2017020170.tif 000007
【図６】
2017020170.tif 000008
【図７】
2017020170.tif 000009
【図８】
2017020170.tif 000010
【図９】
2017020170.tif 000011